(57)【要約】【課題】ワイヤハーネス布線板の保管スペースを削減することができるワイヤハーネス布線板およびワイヤハーネス組立支援装置を提供すること。【解決手段】組立情報図面１０と、組立情報図面１０を取り付ける取付面２１ａを含む図面取付部２０と、を有し、図面取付部２０に固定した複数の布線治具７０によってワイヤハーネスの各部を保持しながら組立情報図面１０上にワイヤハーネスを組み立てるワイヤハーネス布線板１において、図面取付部２０は、ワイヤハーネスの複数の品番に対応した複数の布線治具７０を所定位置に着脱可能であり、かつ、当品番に対応した複数の布線治具７０通する孔である複数の治具挿通孔１１を形成したフィルムであり、複数の布線治具７０を治具挿通孔１１に挿通しつつ治具固定部２２に固定することによって、組立情報図面１０上のワイヤハーネスの品番に対応した位置に複数の布線治具７０を固定配置する。【選択図】図１
2015230808.tif 000002
【特許請求の範囲】
【請求項１】
ワイヤハーネスの組み立てに関する情報を表示した組立情報図面と、該組立情報図面を取り付ける取付面を含む図面取付部と、を有し、前記図面取付部に固定した複数の布線治具によって前記ワイヤハーネスの各部を保持しながら前記組立情報図面上に前記ワイヤハーネスを組み立てるワイヤハーネス布線板において、
前記図面取付部は、
前記ワイヤハーネスの複数の品番に対応した前記複数の布線治具を所定位置に着脱可能に固定する複数の治具固定部
を有し、
前記組立情報図面は、
前記ワイヤハーネスの品番に応じて前記取付面に着脱自在であり、かつ、当品番に対応した前記複数の布線治具を挿通する孔である複数の治具挿通孔を形成したフィルムであり、前記複数の布線治具を前記治具挿通孔に挿通しつつ前記治具固定部に固定することによって、当該組立情報図面上の前記ワイヤハーネスの品番に対応した位置に前記複数の布線治具を固定配置する
ことを特徴とするワイヤハーネス布線板。
【請求項２】
前記組立情報図面は、
ロール状に巻き取り可能である
ことを特徴とする請求項１に記載のワイヤハーネス布線板。
【請求項３】
ワイヤハーネスの組み立てを支援するワイヤハーネス組立支援装置において、
請求項１または請求項２に記載のワイヤハーネス布線板を組み込む
ことを特徴とするワイヤハーネス組立支援装置。
【請求項４】
前記組立情報図面を前記図面取付部に取り付ける場合、ロール状の前記組立情報図面を前記取付面に自動で広げながら取り付け、前記組立情報図面を前記取付面から取り外す場合、前記取付面から前記組立情報図面を自動でロール状に巻き取る図面自動着脱機構部を有する
ことを特徴とする請求項３に記載のワイヤハーネス組立支援装置。
【請求項５】
前記図面取付部は、
前記複数の治具固定部の各治具固定部、あるいは、前記各治具固定部の近傍で点灯、消灯可能に設けた治具固定位置発光部
を有し、
当該ワイヤハーネス組立支援装置は、
前記ワイヤハーネスの品番情報を入力する入力部と、
前記入力部によって取得した前記品番情報に基づいて固定する前記布線治具の固定位置に対応する前記治具固定位置発光部を発光する治具固定位置発光制御部と、
を有する
ことを特徴とする請求項３または請求項４に記載のワイヤハーネス組立支援装置。
【発明の詳細な説明】
【技術分野】
【０００１】
本発明は、ワイヤハーネスの組み立てに関する情報を表示した組立情報図面を有するワイヤハーネス布線板およびワイヤハーネス組立支援装置に関する。
【背景技術】
【０００２】
従来、自動車の電気配線等に用いるワイヤハーネスを製造する場合、配策パターン等の組み立てに関する情報を示した組立情報図面と、組立情報図面を取り付ける取付面を含む図面取付部と、を有し、図面取付部に固定した複数の布線治具によってワイヤハーネスの各部を保持しながら組立情報図面上にワイヤハーネスを組み立てるワイヤハーネス布線板を用いる。
【０００３】
例えば、特許文献１には検査対象、検査項目及び検査基準を図式化して表示した外観検査図（組立情報図面）が貼り付けられたワイヤハーネス布線板が記載されている。
【先行技術文献】
【特許文献】
【０００４】
【特許文献１】特開２００２−３２９４２９号公報
【発明の概要】
【発明が解決しようとする課題】
【０００５】
しかしながら、特許文献１に記載されたワイヤハーネス布線板は、ワイヤハーネスの品番に対応した多数の在庫を必要とするため、結果的に、保管スペースを多く必要とする問題があった。
【０００６】
本発明は、上記に鑑みてなされたものであって、ワイヤハーネス布線板の保管スペースを削減することができるワイヤハーネス布線板およびワイヤハーネス組立支援装置を提供することを目的とする。
【課題を解決するための手段】
【０００７】
上述した課題を解決し、目的を達成するために、本発明の請求項１に係るワイヤハーネス布線板は、ワイヤハーネスの組み立てに関する情報を表示した組立情報図面と、該組立情報図面を取り付ける取付面を含む図面取付部と、を有し、前記図面取付部に固定した複数の布線治具によって前記ワイヤハーネスの各部を保持しながら前記組立情報図面上に前記ワイヤハーネスを組み立てるワイヤハーネス布線板において、前記図面取付部は、前記ワイヤハーネスの複数の品番に対応した前記複数の布線治具を所定位置に着脱可能に固定する複数の治具固定部を有し、前記組立情報図面は、前記ワイヤハーネスの品番に応じて前記取付面に着脱自在であり、かつ、当品番に対応した前記複数の布線治具を挿通する孔である複数の治具挿通孔を形成したフィルムであり、前記複数の布線治具を前記治具挿通孔に挿通しつつ前記治具固定部に固定することによって、当該組立情報図面上の前記ワイヤハーネスの品番に対応した位置に前記複数の布線治具を固定配置することを特徴とする。
【０００８】
また、本発明の請求項２に係るワイヤハーネス布線板は、上記の発明において、前記組立情報図面は、ロール状に巻き取り可能であることを特徴とする。
【０００９】
上述した課題を解決し、目的を達成するために、本発明の請求項３に係るワイヤハーネス組立支援装置は、ワイヤハーネスの組み立てを支援するワイヤハーネス組立支援装置において、請求項１または請求項２に記載のワイヤハーネス布線板を組み込むことを特徴とする。
【００１０】
また、本発明の請求項４に係るワイヤハーネス組立支援装置は、上記の発明において、前記組立情報図面を前記図面取付部に取り付ける場合、ロール状の前記組立情報図面を前記取付面に自動で広げながら取り付け、前記組立情報図面を前記取付面から取り外す場合、前記取付面から前記組立情報図面を自動でロール状に巻き取る図面自動着脱機構部を有することを特徴とする。
【００１１】
また、本発明の請求項５に係るワイヤハーネス組立支援装置は、上記の発明において前記図面取付部が、前記複数の治具固定部の各治具固定部、あるいは、前記各治具固定部の近傍で点灯、消灯可能に設けた治具固定位置発光部を有し、当該ワイヤハーネス組立支援装置は、前記ワイヤハーネスの品番情報を入力する入力部と、前記入力部によって取得した前記品番情報に基づいて固定する前記布線治具の固定位置に対応する前記治具固定位置発光部を発光する治具固定位置発光制御部と、を有することを特徴とする。
【発明の効果】
【００１２】
本発明の請求項１に係るワイヤハーネス布線板は、前記図面取付部に対してワイヤハーネスの品番に応じた前記組立情報図面と前記布線治具とを取り付けることができ、しかも、使用しない前記組立情報図面を前記取付面から取り外してフィルムとして保管することができるので、保管スペースを削減することができる。
【００１３】
本発明の請求項２係るワイヤハーネス布線板は、前記組立情報図面をロール状に巻き取って保管することができるので、保管スペースをさらに効果的に削減することができる。
【００１４】
本発明の請求項３係るワイヤハーネス組立支援装置は、前記ワイヤハーネス布線板を組み込んでいるので、前記ワイヤハーネス布線板の保管スペースを削減することができる。
【００１５】
本発明の請求項４係るワイヤハーネス組立支援装置は、前記図面自動着脱機構部によって前記組立情報図面を前記図面取付部に容易に取り付け、取り外すことができる。
【００１６】
本発明の請求項５係るワイヤハーネス組立支援装置は、前記治具固定位置発光部を前記布線治具の取り付け位置の目印とすることができるので、前記布線治具を前記治具固定部に固定する作業を容易にすることができる。
【図面の簡単な説明】
【００１７】
【図１】図１は、本発明の実施例１に係るワイヤハーネス組立支援装置の斜視図である。
【図２】図２は、図面取付部に取り付けた組立情報図面の一部を拡大した図である。
【図３】図３は、図面ストック棚の斜視図である。
【図４】図４は、布線治具および治具固定部周辺の斜視図である。
【図５】図５は、（ａ）が図面ストック棚から所望のワイヤハーネスの品番に対応した組立情報図面を取り出す様子を示し、（ｂ）が図面自動着脱機構部によって図面取付部に組立情報図面を自動で取り付ける様子を示した図である。
【図６】図６は、（ａ）が一つの布線治具を治具固定部に取り付ける様子を示し、（ｂ）が複数の布線治具を治具固定部に固定した状態を示した図である。
【図７】図７は、（ａ）が図面自動着脱機構部によって組立情報図面を自動で巻き取る様子を示し、（ｂ）がロール状に巻き取った組立情報図面を図面ストック棚に戻して保管する様子を示した図である。
【図８】図８は、本発明の実施例２に係るワイヤハーネス組立支援装置の構成を示すブロック図である。
【図９】図９は、布線治具および治具固定部周辺の斜視図である。
【図１０】図１０は、制御装置が実施する治具固定位置発光処理を示すフローチャートである。
【図１１】図１１は、（ａ）が一つの布線治具を治具固定部に取り付ける様子を示し、（ｂ）が複数の布線治具を治具固定部に固定した状態を示した図である。
【発明を実施するための形態】
【００１８】
以下、図面を参照して、本発明に係るワイヤハーネス布線板およびワイヤハーネス組立支援装置の好適な実施例を詳細に説明する。
【実施例１】
【００１９】
図１は、本発明の実施例１に係るワイヤハーネス組立支援装置１００の斜視図である。図２は、図面取付部２０に取り付けた組立情報図面１０の一部を拡大した図である。図３は、図面ストック棚８０の斜視図である。図４は、布線治具７０および治具固定部２２周辺の斜視図である。
本発明の実施例１に係るワイヤハーネス布線板１は不図示のワイヤハーネスの組み立てに関する情報を表示した組立情報図面１０と、組立情報図面１０を取り付ける取付面２１ａを含む図面取付部２０と、を有し、図面取付部２０に固定した複数の布線治具７０によってワイヤハーネスの各部を保持しながら組立情報図面１０上にワイヤハーネスを組み立てるものである。
また、本発明の実施例１に係るワイヤハーネス組立支援装置１００は、ワイヤハーネス布線板１上でのワイヤハーネスの組み立てを支援するものである。このワイヤハーネス組立支援装置１００は、ワイヤハーネス布線板１を組み込み、図面取付部２０に対する組立情報図面１０の着脱を自動で行う図面自動着脱機構部３０を、有する。
【００２０】
まず、ワイヤハーネス布線板１について説明する。
組立情報図面１０は、ワイヤハーネスの品番に応じて取付面２１ａに着脱可能であり、かつ、当品番に対応した複数の布線治具７０を挿通する孔である複数の治具挿通孔１１を形成したフィルムであり、複数の布線治具７０を治具挿通孔１１に挿通しつつ治具固定部２２に固定することによって、組立情報図面１０上のワイヤハーネスの品番に対応した位置に複数の布線治具７０を固定配置する。
なお、組立情報図面１０は、ロール状に巻き取り可能なフィルムである。
より具体的には、組立情報図面１０は、いわゆるマットフィルムからなり、ワイヤハーネスの外装部品等を概略的に示した図、あるいは、組み立てに関する情報を示す文字、記号等が表面に印刷されている。この組立情報図面１０に表示した情報に基づいて作業者が各種品番に対応したワイヤハーネスを組み立てる。
なお、組立情報図面１０は、マットフィルムに限らず、印刷された情報を目視し易く、かつ、ロール状に巻き取り可能であれば、その他のフィルムを用いても構わない。
【００２１】
また、組立情報図面１０は、複数の布線治具７０を貫通させて図面取付部２０に固定するための複数の治具挿通孔１１を形成する。これら複数の治具挿通孔１１は、ワイヤハーネスの一つの品番に対応して形成している。
【００２２】
このような、組立情報図面１０は、図３に示すように、ロール状に巻き取った状態で図面ストック棚８０に保管する。
【００２３】
次に、図面取付部２０について説明する。
図面取付部２０は、例えば、化粧ベニヤ板２１によって取付面２１ａを形成し、ワイヤハーネスの複数の品番に対応した複数の布線治具７０を所定位置に着脱可能に固定する複数の治具固定部２２を有する。
【００２４】
取付面２１ａは、治具固定部２２に対応した位置に化粧ベニヤ板２１を貫通する複数の貫通孔２１ｂを形成している。
なお、取付面２１ａは、化粧ベニヤ２１によって形成することに限らず、その他の材料によって形成するようにしても構わない。
【００２５】
治具固定部２２は、複数の品番のワイヤハーネスの各部を保持する布線治具７０を固定するため、取付面２１ａの複数個所に設けている。すなわち、治具固定部２２は、ワイヤハーネスの複数の品番に対応できるように、一つの品番に対応した組立情報図面１０の治具挿通孔１１の数よりも多くの数を設けるようにしている。
この治具固定部２２は、図４に示すように、布線治具７０の一部をはめ込むための嵌め込み凹部２２ａを有する。
【００２６】
なお、布線治具７０は、ワイヤハーネスの分岐箇所、あるいは端末部を保持するものであり、ワイヤハーネスを保持する保持部７１と、嵌め込み凹部２２ａに嵌め込むことによって治具固定部２２に固定する部分となる固定部７２と、を有する。
このような、布線治具７０と治具固定部２２とは、例えば、固定部７２と、嵌め込み凹部２２ａとに、不図示のキー、キー溝を設けることによって、布線治具７０が治具固定部２２に着脱可能に固定されるようになっている。
【００２７】
次に、図面自動着脱機構部３０について説明する。
図面自動着脱機構部３０は、組立情報図面１０を図面取付部２０に取り付ける場合、ロール状の組立情報図面１０を取付面２１ａに自動で広げながら取り付け、組立情報図面１０を取付面２１ａから取り外す場合、取付面２１ａから組立情報図面１０を自動でロール状に巻き取るものである。
この図面自動着脱機構部３０は、操作ボックス３１の外表面に設けた操作スイッチを３１ａ操作し、不図示の駆動部を駆動することによって、組立情報図面１０をロール状態から自動で広げ、あるいは、広げられた組立情報図面１０を自動で巻き取るようになっている。
【００２８】
次に、図５−図７を用いてワイヤハーネス組立支援装置１００のセッティングからワイヤハーネスの組み立てを完了し、組立情報図面１０を保管するまでの手順について説明する。
図５は、（ａ）が図面ストック棚８０から所望のワイヤハーネスの品番に対応した組立情報図面１０を取り出す様子を示し、（ｂ）が図面自動着脱機構部３０によって図面取付部２０に組立情報図面１０を自動で取り付ける様子を示した図である。図６は、（ａ）が一つの布線治具７０を治具固定部２２に取り付ける様子を示し、（ｂ）が複数の布線治具７０を治具固定部２２に固定した状態を示した図である。図７は、（ａ）が図面自動着脱機構部３０によって組立情報図面１０を自動で巻き取る様子を示し、（ｂ）がロール状に巻き取った組立情報図面１０を図面ストック棚８０に戻して保管する様子を示した図である。
【００２９】
まず、作業者は、ワイヤハーネスの製造指示書等に基づいて、対応するワイヤハーネスの品番に合致する組立情報図面１０を図面ストック棚８０から選ぶ（図５（ａ）参照）。なお、ワイヤハーネスの各品番に対応する組立情報図面１０は、ロール状に巻き取られた状態で図面ストック棚８０に保管されている。
【００３０】
その後、作業者は、ワイヤハーネスの品番に対応する組立情報図面１０を図面自動着脱機構部３０に取り付け、図面自動着脱機構部３０を作動することによって、組立情報図面１０を図面取付部２０に自動で取り付ける（図５（ｂ）参照）。ここで、ロール状に巻き取られた組立情報図面１０が図面自動着脱機構部３０によって取付面２１ａ上に自動で広げられる。
【００３１】
その後、作業者は、組立情報図面１０に形成した複数の治具挿通孔１１を各布線治具７０の取り付け位置の目印にして、ワイヤハーネスの品番に対応した複数の布線治具７０を各治具固定部２２に固定する（図６（ａ）および図６（ｂ）参照）。ここまでの作業によって、ワイヤハーネス組立支援装置１００のセッティングが完了する。
【００３２】
その後、作業者は、組立情報図面１０上にワイヤハーネスを組み立てる作業を開始し、組立情報図面１０に表示された図面、あるいは文字情報に基づき、かつ、各布線治具７０によってワイヤハーネスの各部を保持しながらワイヤハーネスの組み立てを実施する。
【００３３】
ワイヤハーネスの組み立てが完了した場合、作業者は、ワイヤハーネスを布線治具７０から取り外し、さらに布線治具７０を治具固定部２２から取り外した後、図面自動着脱機構部３０を作動することによって、取付面２１ａに広げられた組立情報図面１０を自動でロール状に巻き取る（図７（ａ）参照）。
【００３４】
その後、作業者は、ロール状に巻き取った組立情報図面１０を図面自動着脱機構部３０から取り外し、最後に、図面ストック棚８０に戻すことによって、ワイヤハーネス組立支援装置１００のセッティングから、組立情報図面１０を保管するまでの一連の作業を完了する（図７（ｂ）参照）。
【００３５】
本発明の実施例１に係るワイヤハーネス布線板１は、図面取付部２０に対してワイヤハーネスの品番に応じた組立情報図面１０と布線治具７０とを取り付けることができ、しかも、使用しない組立情報図面１０を取付面２１ａから取り外してフィルムとして保管することができるので、保管スペースを削減することができる。
【００３６】
また、本発明の実施例１に係るワイヤハーネス布線板１は、組立情報図面１０をロール状に巻き取って保管することができるので、保管スペースをさらに効果的に削減することができる。
【００３７】
また、本発明の実施例１に係るワイヤハーネス組立支援装置１００は、ワイヤハーネス布線板１を組み込んでいるので、ワイヤハーネス布線板１の保管スペースを削減することができる。
【００３８】
また、本発明の実施例１に係るワイヤハーネス組立支援装置１００は、図面自動着脱機構部３０によって組立情報図面１０を図面取付部２０に容易に取り付け、取り外すことができる。
【実施例２】
【００３９】
次に、図８および図９を用いて本発明の実施例２に係るワイヤハーネス組立支援装置２００ついて説明する。
図８は、本発明の実施例２に係るワイヤハーネス組立支援装置２００の構成を示すブロック図である。図９は、布線治具７０および治具固定部２２周辺の斜視図である。
本発明の実施例２に係るワイヤハーネス組立支援装置２００は、治具固定位置発光部４１を発光することによって、布線治具７０を取り付ける治具固定部２２を示すようにしている点で、実施例１のワイヤハーネス組立支援装置１００と異なる。
なお、その他の構成は実施例１と同様であり、実施例１と同一構成部分には同一符号を付している。
【００４０】
ワイヤハーネス組立支援装置２００は、実施例１のワイヤハーネス組立支援装置１００と同様に、ワイヤハーネス布線板２を組み込み、かつ、図面自動着脱機構部３０を有する。
【００４１】
図面取付部４０は、複数の治具固定部２２の各治具固定部２２で点灯、消灯可能に設けた治具固定位置発光部４１を有する。
この治具固定位置発光部４１は、図９に示すように、治具固定部２２の下部に設け、不図示のＬＥＤ（Ｌｉｇｈｔ  Ｅｍｉｔｔｉnｇ  Ｄｉｏｄｅ）等の発光素子と、光透過性の部材からなり発光素子を覆うカバー部４１ａと、を有する。
なお、治具固定位置発光部４１は、各治具固定部２２の近傍で点灯、消灯可能に設けてもよい。
【００４２】
また、ワイヤハーネス組立支援装置２００は、ワイヤハーネスの品番情報を入力する入力部５０と、ワイヤハーネス組立支援装置２００の各部の処理および動作を制御する制御装置６０と、を有する。
【００４３】
入力部５０は、例えば、バーコードリーダー、あるいは、タッチパネル等によって実現し、製造予定のワイヤハーネスの品番情報がバーコードとして記された製造指示書からバーコードを読み取り、読み取った品番情報を制御装置６０に出力するものである。
【００４４】
制御装置６０は、ＣＰＵ等によって実現され、治具固定位置発光制御部６１と、記憶部６２と、を有する。
【００４５】
治具固定位置発光制御部６１は、入力部５０によって取得した品番情報に基づいて固定する布線治具７０の固定位置に対応する治具固定位置発光部４１を発光する。
【００４６】
記憶部６２は、情報を磁気的に記憶するハードディスクと、ワイヤハーネス組立支援装置２００が処理を実行する際にこの処理に係る各種プログラムをハードディスクから読み出して記憶するメモリと、を有する。
この記憶部６２は、ワイヤハーネスの品番情報と、各品番に対応して発光させる治具固定位置発光部４１とを関連付けた品番別発光情報を記憶している。
【００４７】
ここで、図１０のフローチャートを用いて制御装置６０が実施する治具固定位置発光処理について説明する。
図１０は、制御装置６０が実施する治具固定位置発光処理を示すフローチャートである。
【００４８】
まず、治具固定位置発光制御部６１が入力部５０によってワイヤハーネスの品番情報を取得したか否かを判断する（ステップＳ１０１）。ここで、入力部５０によってワイヤハーネスの品番情報を取得していない場合（ステップＳ１０１：Ｎｏ）、治具固定位置発光制御部６１は、ステップＳ１０１の判断処理を繰り返す。
【００４９】
一方、治具固定位置発光制御部６１が入力部５０によってワイヤハーネスの品番情報を取得した場合（ステップＳ１０１：Ｙｅｓ）、治具固定位置発光制御部６１が品番情報に対応する品番別発光情報を記憶部６２から抽出する（ステップＳ１０２）。
【００５０】
その後、治具固定位置発光制御部６１が抽出した品番別発光情報に基づいて品番に対応した治具固定位置発光部４１を発光し（ステップＳ１０３）、制御装置６０はこの処理をステップＳ１０１に戻す。
【００５１】
次に、図１１を用いてワイヤハーネス組立支援装置２００のセッティングからワイヤハーネスの組み立てを完了し、組立情報図面１０を保管するまでの手順について説明する。
図１１は、（ａ）が一つの布線治具７０を治具固定部２２に取り付ける様子を示し、（ｂ）が複数の布線治具７０を治具固定部２２に固定した状態を示した図である。
なお、ワイヤハーネスの品番に対応した複数の布線治具７０を各治具固定部２２に固定する作業以外は、実施例１に示した手順と同様であるため説明を省略する。
【００５２】
作業者は、実施例１に示した手順と同様にして図面自動着脱機構部３０によって組立情報図面１０を取付面２１ａに自動で取り付けると、入力部５０によってワイヤハーネスの品番情報を入力する。
ここで、作業者は、例えば、製造指示書に印字されたバーコードを入力部５０にかざすことによって、品番情報を入力する。すると、ワイヤハーネスの品番に対応した治具固定位置発光部４１が発光する。
【００５３】
その後、作業者は、治具固定位置発光部４１を各布線治具７０の取り付け位置の目印にして、品番に対応した複数の布線治具７０を各治具固定部２２に固定する（図１１（ａ）および図１１（ｂ）参照）。
ここまでの作業によって、組立情報図面１０上にワイヤハーネスを組み立てる準備が完了し、その後の作業は、実施例１と同様にして、ロール状に巻き取った組立情報図面１０を図面ストック棚８０に戻すことによって、ワイヤハーネス組立支援装置２００のセッティングから、組立情報図面１０を保管するまでの一連の作業を完了する。
【００５４】
本発明の実施例２に係るワイヤハーネス組立支援装置２００は、実施例１と同様の効果を奏するとともに、治具固定位置発光部４１を各布線治具７０の取り付け位置の目印とすることができるので、布線治具７０を治具固定部２２に固定する作業を容易にすることができる。
【００５５】
しかも、本発明の実施例２に係るワイヤハーネス組立支援装置２００は、一つの組立情報図面１０を複数のワイヤハーネスの品番に対応できるように、一つの組立情報図面１０に複数の品番に対応した治具挿通孔１１を形成した場合であっても、治具固定位置発光部４１によって使用する治具固定部２２を示すことができるので、組立情報図面１０の在庫数を削減し、結果的に、ワイヤハーネス布線板２の保管スペースをさらに削減することができる。
【００５６】
なお、本発明の実施例１および実施例２に係るワイヤハーネス布線板１、２は、組立情報図面１０をロール状に巻き取って保管するものを例示したが、これに限らず、平面状に広げた状態で保管するようにしても構わない。なお、組立情報図面１０は、フィルムであるためロール状に巻き取らなくても保管スペースを削減することができる。
【００５７】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５８】
１、２      ワイヤハーネス布線板
１０        組立情報図面
１１        治具挿通孔
２０、４０  図面取付部
２１        化粧ベニヤ板
２１ａ      取付面
２１ｂ      貫通孔
２２        治具固定部
２２ａ      嵌め込み凹部
３０        図面自動着脱機構部
３１        操作ボックス
３１ａ      操作スイッチ
４１        治具固定位置発光部
４１ａ      カバー部
５０        入力部
６０        制御装置
６１        治具固定位置発光制御部
６２        記憶部
７０        布線治具
７１        保持部
７２        固定部
８０        図面ストック棚
１００、２００  ワイヤハーネス組立支援装置
【図１】
2015230808.tif 000003
【図２】
2015230808.tif 000004
【図３】
2015230808.tif 000005
【図４】
2015230808.tif 000006
【図５】
2015230808.tif 000007
【図６】
2015230808.tif 000008
【図７】
2015230808.tif 000009
【図８】
2015230808.tif 000010
【図９】
2015230808.tif 000011
【図１０】
2015230808.tif 000012
【図１１】
2015230808.tif 000013